(57)【要約】      （修正有）【課題】包装作業時に高速且つ間欠的にロールの回転停止及び再回転を繰り返しても、ロールが固定位置から動くのを防止し、また、使用済みロールの交換が容易に行うことができる、ロールの繰り出し装置に用いる緩み止め具、及び該緩み止め具を用いてシートの繰り出しを安定させるロールの保持構造を提供する。【解決手段】ロール保持装置１は、中空円筒の装着体２１、装着体２１に挿通された軸体２２０、装着体２１に設けられロールを固定する拡縮機構３を備え、ロール９に挿通する保持体２と、保持体２端部に向け次第に小径となる可撓性を有する突出部４１２と、その間に軸線方向に向け所要間隔で所要数の溝又は隙間が形成された緊締ナット４１と、突出部４１２に向けて次第に径大となり、突出部４１２外面に被着し押圧して縮径するための押圧部が形成された押圧ナット４２を有する緩み止め具４と、を備える。【選択図】図２
2011046477.tif 000002
【特許請求の範囲】
【請求項１】
シート又はフィルムを巻いて形成され、中心に両端面を貫通する中空部を備えた芯管(91)又は貫通孔を有するロール(9)の前記中空部内に当該ロール(9)を保持する保持体(2)を通し、当該保持体(2)の端部からナットを締め込んで当該保持体(2)に設けられているロール(2)の固定手段(3)を作動または機能させ、前記保持体(2)にロール(9)を固定するシート又はフィルムの繰り出し装置に使用する緩み止め具であって、
緊締ナット(41)と押圧ナット(42)を備え、
前記緊締ナット(41)は、保持体(2)の端部に向けて次第に小径となる可撓性を有する突出部(412)を有し、当該突出部(412)には軸線方向に向けて所要間隔で所要数の溝又は隙間が形成されており、
前記押圧ナット(42)は、前記突出部(412)に向けて次第に径大となる押圧部(422)が形成されており、
前記緊締ナット(41)の突出部(412)の外面に、前記押圧ナット(42)の押圧部(422)の内面を被着させ前記突出部(412)を押圧して縮径する、
緩み止め具。
【請求項２】
緊締ナット(41)の全部または突出部(412)の全部あるいは突出部(412)のうち保持体と接する面(414)側のいずれかが、可撓性又は弾性を有する合成樹脂で形成されている、
請求項１記載の緩み止め具。
【請求項３】
シート又はフィルムを巻いて形成され、中心に両端面を貫通する中空部を備えた芯管(91)又は貫通孔を有するロール(9)の前記中空部内に当該ロール(9)を保持する保持体(2)を通し、当該保持体(2)の端部からナットを締め込んで当該保持体(2)に設けられているロール(2)の固定手段(3)を作動または機能させ、前記保持体(2)にロール(9)を固定する自動包装機に用いるロール(9)の装着構造(1)であって、
前記装着構造(1)は、ロールの芯管(91)又は貫通孔の内径よりも径小であって、先端が自由端である棒状体であり、ロールの芯管(91)又は貫通孔内へ挿通させて保持する保持体(2)と、保持体(2)の先端側に取着する請求項１または２記載の緩み止め具(4)と、を備えており、
保持体(2)は、
保持体(2)の先端側近傍に設けられ、緩み止め具(4)を取着可能に形成された雄ネジ(210)と、
保持体(2)の長さ方向中央近傍に設けられ、拡大した拡縮部(320)がロールの芯管(91)又は貫通孔を内側から押圧又は当接して固定する構造のロール固定手段(3)と、を備えており、
ロール固定手段(3)は、前記雄ネジ(210)と拡縮体(3)の間に配置され、保持体(2)の長手方向にスライド可能に設けられ、スライドすることにより拡縮部(320)の拡縮を調節する拡縮作動体(350)を備えており、
ロール(9)の芯管(91)又は貫通孔内の中空部へ保持体(2)を通し、緊締ナット(41)を締めて拡縮作動体(350)をスライドさせて拡縮部(320)を芯管(91)又は貫通孔内で拡大させることによって、保持体(2)にロール(9)を固定した後に、緊締ナット(41)の突出部(412)の外面に、押圧ナット(42)の押圧部(422)の内面を被着させ前記突出部(412)を押圧して縮径させ、突出部(412)を保持体(2)に圧着させるようにした、
ロールの装着構造。
【請求項４】
緊締ナット(41)の全部または突出部(412)の全部あるいは突出部(412)のうち装着軸側と接する面(414)側のいずれかが、可撓性又は弾性を有する合成樹脂で形成された、
請求項３記載のロールの装着構造。
【発明の詳細な説明】
【技術分野】
【０００１】
本発明は、芯管に巻き取られてロール状になっているシート又はフィルム（以下「ロール」という。）の繰り出し装置に使用する緩み止め具及び該緩み止め具を備えたロールの保持構造に関する。更に詳しくは、自動包装機による包装作業時において、高速且つ間欠的にロールの回転停止及び再回転を繰り返しても、ロールを固定する手段（以下「ロール固定手段」という。）が固定位置から動くのを防止し、また、使用済みロールの交換を容易に行うことができるようにする、ロールの繰り出し装置に使用する緩み止め具、及び自動包装機による包装作業時において、保持されたロールからのシートの繰り出しを安定させるロールの保持構造に関する。
【背景技術】
【０００２】
例えば、合成樹脂製シート又はフィルムのロールを間欠的に繰り出して物品を包装する包装機は既に使用されており、包装機におけるロールの保持機構としては、例えば、特許文献１に記載されたシートロール（本発明のロールに相当する。）巻心脱着装置が挙げられる。
【０００３】
特許文献１に示すシートロール巻心脱着装置は、装着軸に螺着している固定ナットを締めることによりスライダをベース側へ前進させ、前進したスライダがクランパを拡大し、拡大したクランパがロール状シート巻心の内面側から押圧して固定する構造である。
【０００４】
前記構造を備えることによりロールが装着軸に固定され、固定状態でロールからシートを間欠的に繰り出したとしてもロールが空転しないようにしている。
【先行技術文献】
【特許文献】
【０００５】
【特許文献１】特開２００２−３０２３０６号
【発明の開示】
【発明が解決しようとする課題】
【０００６】
特許文献１にかかるシートロール巻心脱着装置を備えた自動包装機を使用して包装作業を行うときには、包装に必要な分のシートを繰り出し、繰り出し後はシートロールの回転が止まるという動作が、高速且つ間欠的に行われる。
【０００７】
前記のように、シートロールを回転停止及び再回転させてシートを繰り出す動作を行うと、シートロールにシートロール自身の重みによる軸周方向への慣性力（回転モーメント）が働き、シートロールと接するスライダにも該慣性力が伝わってスライダが追従するように回転し、回転するスライダと固定ナットとの接触面に摩擦が起きる。
【０００８】
繰り返し摩擦が起きると、固定ナットの締め付けが徐々に緩んで位置が後退していく。
固定ナットの位置が後退すると、それに伴って、ロール固定手段であるクランパを拡大させ固定状態を保つためのスライダも後退して固定状態を維持できなくなる。
【０００９】
この結果、シートロールへのクランパの固定力が弱まってシートロールが空転し、シートのテンションが緩んで、包装のために必要な長さのシートの繰り出しが行われないことがある。また、シートロールへのクランパの固定力が弱まると、シートロールがシートロール巻心脱着装置の軸線方向にずれ、シートの繰り出し位置がずれることもある。前記のような状態では、被包装物を正しく包装することができず、包装後の製品に不良品が混じることになる。
【００１０】
前記のような問題発生を防止するためには、作業者は一定の動作回数又は一定時間の経過後ごとに作業を中断し、固定ナットを締め直すか又は緩んでいないかを確認する必要があるが、当該確認作業を頻繁に行うことは煩雑であるばかりか、作業効率の低下を招くという課題がある。
【００１１】
（発明の目的）
本発明の目的は、自動包装機による包装作業時において、高速且つ間欠的にロールの回転停止及び再回転を繰り返しても、ロール固定手段が固定位置から動くのを防止し、また、使用済みロールの交換が容易に行うことをできるようにする、ロールの繰り出し装置に使用する緩み止め具を提供することにある。
本発明の他の目的は、自動包装機による包装作業時において、保持されたロールからのシートの繰り出しを安定させる、ロールの保持構造を提供することにある。
【課題を解決するための手段】
【００１２】
上記目的を達成するために講じた本発明の手段は次のとおりである。
本発明は、シート又はフィルムを巻いて形成され、中心に両端面を貫通する中空部を備えた芯管又は貫通孔を有するロールの前記中空部内に当該ロールを保持する保持体を通し、当該保持体の端部からナットを締め込んで当該保持体に設けられているロールの固定手段を作動または機能させ、前記保持体にロールを固定するシート又はフィルムの繰り出し装置に使用する緩み止め具であって、緊締ナットと押圧ナットを備え、前記緊締ナットは、保持体の端部に向けて次第に小径となる可撓性を有する突出部を有し、当該突出部には軸線方向に向けて所要間隔で所要数の溝又は隙間が形成されており、前記押圧ナットは、前記突出部に向けて次第に径大となる押圧部が形成されており、前記緊締ナットの突出部の外面に、前記押圧ナットの押圧部の内面を被着させ前記突出部を押圧して縮径する、緩み止め具である。
【００１３】
本発明は、シート又はフィルムを巻いて形成され、中心に両端面を貫通する中空部を備えた芯管又は貫通孔を有するロールの前記中空部内に当該ロールを保持する保持体を通し、当該保持体の端部からナットを締め込んで当該保持体に設けられているロールの固定手段を作動または機能させ、前記保持体にロールを固定する自動包装機に用いるロールの装着構造であって、前記装着構造は、ロールの芯管又は貫通孔の内径よりも径小であって、先端が自由端である棒状体であり、ロールの芯管又は貫通孔内へ挿通させて保持する保持体と、保持体の先端側に取着する前記緩み止め具と、を備えており、保持体は、保持体の先端側近傍に設けられ、緩み止め具を取着可能に形成された雄ネジと、保持体の長さ方向中央近傍に設けられ、拡大した拡縮部がロールの芯管又は貫通孔を内側から押圧又は当接して固定する構造のロール固定手段と、を備えており、ロール固定手段は、前記雄ネジと拡縮体の間に配置され、保持体の長手方向にスライド可能に設けられ、スライドすることにより拡縮部の拡縮を調節する拡縮作動体を備えており、ロールの芯管又は貫通孔内の中空部へ保持体を通し、緊締ナットを締めて拡縮作動体をスライドさせて拡縮部を芯管又は貫通孔内で拡大させることによって、保持体にロールを固定した後に、緊締ナットの突出部の外面に、押圧ナットの押圧部の内面を被着させ前記突出部を押圧して縮径させ、突出部を保持体に圧着させるようにした、ロールの装着構造である。
【００１４】
前記の緩み止め具又はロールの装着構造では、緊締ナットの全部または突出部の全部あるいは突出部のうち装着軸側と接する面側のいずれかが、可撓性又は弾性を有する合成樹脂で形成されていてもよい。
【００１５】
「シート又はフィルム」は、例えば、合成樹脂製のものが挙げられるが、これに限定するものではなく、紙、アルミ箔等の金属、不織布等の包装部材であってもよい。
【００１６】
「縮径」の用語は、突出部の内径及び外径が（押圧により）縮小する概念として使用している。
【００１７】
「突出部」は、全体が円環状に繋がっていてもよいし、分離した複数の部分が円環状に配置されていてもよい。また、突出部の全体が円環状に繋がっているものについて形成されているものは「溝」であり、突出部が分離した複数の部分が円環状に配置されているものについて形成されているものは「隙間」である。
【００１８】
「可撓性又は弾性を有する合成樹脂」としては、例えば、ポリ塩化ビニル樹脂、アクリル樹脂、ポリプロピレン樹脂、ポリスチレン樹脂、ABS樹脂、ポリアセタール樹脂、ポリカーボネート樹脂等が挙げられ、これらを単独で、または組み合わせて使用することもできる。
【００１９】
本発明の作用は以下の通りである。
（１）保持体をロールの芯管又は貫通孔内の中空部へ挿通させ、ロールを保持させる。
【００２０】
（２）ロールを保持させた後、保持体の雄ネジに螺着された緊締ナットを締め込む。緊締ナットは保持体基端側に前進しながら保持体に設けられた拡縮作動体を押圧する。
【００２１】
（３）押圧された拡縮作動体は、保持体基端側に前進しながらスライドし、ロール固定手段の拡縮部を拡大させる。前記拡大した拡縮部がロールの芯管又は貫通孔内面を押圧するか又は当接し、ロールと保持体が固定状態となる。
【００２２】
（４）保持体の雄ネジに螺着された押圧ナットを、緊締ナット側へ締め込む。すると、押圧ナットの嵌合部と緊締ナットの突出部が嵌合し（外嵌めされ）、突出部が（雄ネジの方向へ撓み、かつ、突出部に形成された溝又は隙間の間隔を閉じるようにして）縮径され、保持体の雄ネジを圧接する。圧接した突出部の雄ネジと接する面側と雄ネジの間には摩擦抵抗が生じる状態となる。
【００２３】
（５）包装作業を行う。このとき、高速且つ間欠的にロールの回転停止及び再回転させてシートを繰り出す動作が行われる。前記動作が行われると、ロールの重みによる軸周方向への慣性力（回転モーメント）が働き、拡縮作動体へ直接又は間接的に慣性力が加わって拡縮作動体にロールに追従して回ろうとする力が加わることがある。
【００２４】
しかし、突出部と雄ネジの間に生じた摩擦抵抗により回り止めがなされ、拡縮作動体の位置を固定するための緊締ナットが緩まないか又は緩みにくい。この結果、拡縮作動体の位置がほぼ固定され、ロールを固定する拡縮体の固定状態がが保持され、ロールへの固定力が弱まることがないか又は弱まりにくいので、ロールが空転しないか又は空転しにくくなり、保持されたロールからのシートの繰り出しが安定する。
【００２５】
（６）ロールの交換時には、押圧ナット及び緊締ナットを逆回しして後退させれば、上記作用と逆の作用又は概ね逆の作用によって、ロールが固定状態から解放される。
【００２６】
（７）緊締ナットの全部または突出部の全部あるいは突出部のうち装着軸側と接する面側のいずれかが、可撓性又は弾性を有する合成樹脂で形成されている場合は、緊締ナットで芯管を保持体に固定した後に、押圧ナットを突出部に嵌合させ前進させて突出部を縮径させると、突出部は保持体又は雄ネジとより密接に圧接し、突出部と保持体又は雄ネジの間に生じる摩擦抵抗がより大きくなり、更に高い回り止め力が生じる。
【発明の効果】
【００２７】
本発明によれば、次の効果を奏する。
（１）緩み止め具によれば、包装作業時において高速且つ間欠的にロールを回転停止及び再回転させてシートを繰り出す動作を行った場合でも、緊締ナットに生じた回り止め効果によってロールが空転しないか又は空転しにくく、ロールからのシートの繰り出しが安定する。また、従来のように、作業者が一定時間毎に緊締ナットを締め直す手間も省くことができる。
【００２８】
（２）ロールの装着構造によれば、包装作業時において高速且つ間欠的にロールを回転停止及び再回転させてシートを繰り出す動作を行った場合でも、緊締ナットに生じた回り止め効果によってロールが空転しないか又は空転しにくく、ロールからのシートの繰り出しが安定する。また、従来のように、作業者が一定時間毎に緊締ナットを締め直す手間も省くことができる。
【００２９】
（３）更に、前記の緩み止め具又はロールの装着構造において、緊締ナットの全部または突出部の全部あるいは突出部のうち装着軸側と接する面側のいずれかが、可撓性又は弾性を有する合成樹脂で形成されたものである場合には、更に高い回り止め効果が期待できる。
【図面の簡単な説明】
【００３０】
【図１】本発明に係るロール保持装置の斜視説明図。
【図２】図１に示すロール保持装置の縦断面図。
【図３】図１に示すロール保持装置の緩み止め具の一部を切り欠いた斜視説明図。
【発明を実施するための形態】
【００３１】
本発明の実施の形態を図１乃至図３に基づき更に詳細に説明する。
ロール保持装置１は、ロール９の芯９１内に挿通させて保持する保持体２と、保持体２の先端側（自由端側）に取着する緩み止め具４を備えている。
【００３２】
保持体２は、中空円筒の装着体２１と、装着体２１の内部に回転可能に挿通された棒状の軸体２２０と、装着体２１の長さ方向中央近傍に設けられたロール固定手段である拡縮機構３と、を備えている。なお、拡縮機構３を含む保持体２は、その外径がロール９の芯９１の内径よりも径小に設けられている。
【００３３】
装着体２１の長手方向略中央部から基部側にかけての箇所には、先端側よりも径大である装着体径大部２１２が形成されている。また、装着体２１の長手方向基部側において装着体径大部２１２よりも更に径大であるプーリー部２１４が形成されている。装着体２１の先端側周面には、緩み止め具４を取着可能な外径の雄ネジ２１０が形成されている。
【００３４】
軸体２２０は装着体２１よりも長く形成されており、軸体２２０の両端は装着体２１の両端から所要長さ突出している。
【００３５】
装着体２１から突出している軸体２２０先端側は、径小部が形成され、該径小部にハンドル２２２が固着されている。また、軸体２２０基端側は、プーリー部２１４内に位置する箇所を含めて、自動包装機本体（図示省略）へ螺着するための雄ネジ２２４が形成されている。
【００３６】
なお、軸体２２０は、装着体２１の先端側及び装着体径大部２１２内において、軸受（符号省略）により回転可能に支持されている（図２参照）。
【００３７】
保持体２の基端側（図１で左側）には、着脱可能なスペーサー１１０が配置されている。
スペーサー１１０は、装着体２１の装着体径大部２１２周面及びロール９の芯９１の内径よりも径大に形成された筒状体であって、ロール９が直接プーリー部２１４に接しないよう所要の高さに形成されている（図１及び図２参照）。
【００３８】
また、スペーサー１１０は、拡縮機構３がその固定機能を発揮できる取付位置へロール９の芯９１を位置させるためのものであり、保持するロール９の幅（芯９１の長さ）に応じて、異なる幅に形成された他のスペーサー（図示省略）と適宜交換することができる。
【００３９】
装着体２１の外周面には拡縮機構３が設けられている。
拡縮機構３は、装着体２１外周面より径大に形成された筒状の拡縮基体３１０と、基端側が拡縮基体３１０に取着された拡縮部である複数の棒状の拡縮体３２０と、装着体２１の先端側に取着されスライドする拡縮作動体３５０と、拡縮作動体３５０と拡縮基体３１０の間に配置された圧縮コイルバネ３４０と、拡縮体３２０の基端側外周面に取着された弾性リング３３０と、を備えている。
【００４０】
各拡縮体３２０は、四角の棒体であって、その長手方向が保持体２の長手方向軸線と同方向になるよう配置されており、拡縮基体３１０の外周面に等間隔で４箇所に設けられている。
【００４１】
各拡縮体３２０は、拡縮基体３１０へ取着ピン３２２及び弾性リング３３０によって取着されており、後述する拡縮作動体３５０の前進によって、各拡縮体３２０の先端側が装着体２１の外周面から離れるように（即ち、ハンドル２２２方向から見て、拡縮体３２０先端側が保持体２の中心軸と反対側へ向かって放射状に開くように）構成されている。
【００４２】
取着ピン３２２による取着箇所は２箇所であり、各拡縮体３２０の長手方向略中央部と拡縮基体３１０の先端側を取着する箇所と、各拡縮体３２０の長手方向基端部と拡縮基体３１０の基端側を取着する箇所である。
弾性リング３３０は、環状の結束ゴムであって、各拡縮体３２０外周の前記２箇所の取着ピン３２２取着箇所の間に、等間隔で３箇所に配置されている。
【００４３】
拡縮作動体３５０は、装着体２１外周面に沿って保持体２の長手方向へ前後にスライド可能な筒状体であって、外周面が保持体２先端側から各拡縮体３２０側に向かって徐々に外径が窄まった形状（テーパー状）に形成されている。
【００４４】
圧縮コイルバネ３４０の中空部分には装着体２１が挿通されており、拡縮作動体３５０の基端側（即ち、窄まった末端部）と拡縮基体３１０の先端側の間に巻着状態で配置されている。
【００４５】
図３を参照する。
緩み止め具４は、装着体２１の雄ネジ２１０に取着されるものであって、拡縮作動体３５０側に配置される緊締ナット４１と、雄ネジ２１０の先端側に配置される押圧ナット４２と、を備えている。
【００４６】
緊締ナット４１には、ネジ孔開口部の周囲にネジ孔４１０側とは反対側へ突設された突出部である、複数の締付片４１２が形成されている。隣り合う締付片４１２の間には、雄ネジ２１０中心軸と同一の軸線方向へ、所要幅の隙間（スリット）が設けられている。
【００４７】
各締付片４１２は、その外周面側が基端側から先端側に向かって厚さが薄くなる形状（テーパ状）に形成されており、その内周面にはネジ孔４１０から連続するネジ溝部４１４が設けられている。なお、前記のネジ溝部４１４のネジのピッチは、雄ネジ２１０のネジ溝と噛み合うように同じピッチに形成されている。
【００４８】
押圧ナット４２には、内径がネジ孔よりも径大であって、緊締ナット４１側の開放端から奥側（図２においてハンドル２２２側）に向かって窄まった形状（テーパ状）の開口空間部であって締付片４１２群に外嵌めされる、嵌合部４２２が形成されている。なお、嵌合部４２２の内面部は、締付片４１２群に外嵌めした際に押圧して縮径させるべく、各締付片の外周面の周径よりもやや狭く形成されている。
【００４９】
本実施の形態においては、前記拡縮体は４箇所に設けられているが、設けられる拡縮体の数は当該数に限定されるものではなく、１以上３以下であってもよいし、５以上であってもよい。
【００５０】
また、本実施の形態においては、前記弾性リングは３箇所に配置されているが、設けられる弾性リングの数は当該数に限定されるものではなく、１又は２であってもよいし、４以上であってもよい。また、図面では弾性リングは環状の結束ゴムであるが、幅広の帯状であってもよい。
【００５１】
本実施の形態において、前記ロール保持装置１は、硬質の合成樹脂で形成されたスペーサー１１０、ハンドル２２２及び拡縮作動体３５０と、ゴム製の弾性リング３３０を除き、各構成部品は金属製であるが、これに限定するものではなく、例えば、スペーサー、ハンドル及び拡縮作動体を金属その他の公知素材で形成しても良いし、スペーサー、ハンドル及び拡縮作動体以外の他の構成部品を合成樹脂その他の公知素材で形成してもよい。
【００５２】
また、本実施の形態において、前記緩み止め具４は、緊締ナット４１、押圧ナット４１共に金属製であるが、これに限定するものではなく、例えば、緩み止め具の緊締ナットの全部、または、締付片の全部、あるいは、締付片のネジ孔側の面若しくは設けられたネジ溝が、可撓性又は弾性を有する合成樹脂で形成されたものであっても良い。
【００５３】
（作  用）
図１乃至図３を参照してロール保持装置１の作用を説明する。
（１）ロール保持装置１の保持体２へスペーサー１１０を取着し、その後に保持体２にロール９の芯９１内へ挿通させて、ロール９を保持させる。
【００５４】
（２）ロール９を保持させた後、まず、拡縮作動体３５０を嵌着し、緩み止め具４の緊締ナット４１を装着体２１の先部側の雄ネジ２１０に螺着する。緊締ナット４１を締め込むと、緊締ナット４１は装着体２１基端側に前進しながら装着体２１に設けられた拡縮作動体３５０を押圧する。
【００５５】
（３）押圧された拡縮作動体３５０は基端側へ押し込まれ、装着体２１に沿って装着体２１基端側にスライド（前進）する。更に拡縮作動体３５０が前進すると、拡縮体３２０側の拡縮作動体３５０端部と拡縮体３２０の先端に接触する。
【００５６】
接触した前記拡縮作動体３５０端部は、拡縮体３２０先端の下側に潜り込むようにして前進し、拡縮体３２０先端は、スライドする拡縮作動体３５０の基端側である窄まった箇所である傾斜面（テーパー面）に沿うようにして保持体２の中心軸線と反対方向に（即ち、装着体２１の外方に向かって放射状に）持ち上げられ、徐々に押し拡げられる。
【００５７】
押し拡げられた拡縮体３２０は、ロール９の芯９１を内側から押圧し、ロール９と装着体２１が固定状態となる。この結果、装着体２１に、ロール９が空転しないか又は空転しにくいように装着される。
【００５８】
（４）押圧ナット４２を装着体２１の先部側の雄ネジ２１０に螺着し、緊締ナット４１側へ締め込む。すると、緊締ナット４１に設けられた各締付片４１２は、押圧ナット４２の嵌合部４２２によって外嵌めされて縮径して雄ネジ２１０側に撓み、各締付片４１２のネジ孔側に設けられたネジ溝部４１４は、雄ネジ２１０のネジ溝を圧接し、圧接した締付片４１２の雄ネジ２１０と接する面側と雄ネジ２１０の間には、摩擦抵抗が生じる状態となる。
【００５９】
（５）ロール保持装置１を自動包装機本体（図示省略）に取着する。具体的には、雄ネジ２２４を自動包装機本体の取着ネジ孔に挿入し、ハンドル２２２を回すと、軸体２２０を介して雄ネジ２２４が回転し、ロール保持装置１が自動包装機本体に螺着する。このとき、プーリー部２１４へ自動包装機本体の駆動ベルトを回しかけ、動力が伝達できるようにする（図示省略）。
【００６０】
（６）ロール保持装置１を取着した自動包装機本体を用いて、包装作業を行う。このとき、高速且つ間欠的にロール９の回転停止及び再回転させてシートを繰り出す動作が行われる。
【００６１】
前記動作が行われると、ロール９の重みによる軸周方向への慣性力（回転モーメント）が働き、拡縮体３２０に前記慣性力が加わる。拡縮体３２０はその先端部が拡縮作動体３５０と接しており、その接触部分を介し摺動して拡縮作動体３５０にも慣性力が加わる。この結果、拡縮作動体３５０に、ロール９に追従して回ろうとする力が加わる。
【００６２】
しかし、ロール保持装置１では、各締付片４１２に設けられたネジ溝部４１４と雄ネジ２１０のネジ溝とが噛み合う箇所において生じている摩擦抵抗によって回り止め効果が加わっているため、拡縮作動体３５０の位置を固定するための緊締ナット４１が緩まないか又は緩みにくく、拡縮作動体３５０の位置がほぼ固定され、ロール９を固定する拡縮体３２０の固定状態が保たれる。
【００６３】
この結果、ロール９に加わる固定状態が保持され、ロール９への固定力が弱まることがないか又は弱まりにくいので、ロール９が空転しないか又は空転しにくくなり、保持されたロール９からのシートの繰り出しが安定する。更に、押圧ナット４２の作用により、従来のような作業者が一定時間毎に緊締ナット４１を締め直す手間も省ける。
【００６４】
（７）ロール９の交換時には、押圧ナット４２及び緊締ナット４１を逆回しして後退させれば、上記作用と逆の作用又は概ね逆の作用によって、固定状態から解放される。
【００６５】
即ち、拡縮作動体３５０が圧縮コイルバネ３４０によって押し戻されて装着体２１の長手方向先端側に後退（スライド）し、拡縮体３２０に取着された弾性リング３３０の収縮力によって拡縮体３２０が保持体２の中心軸方向へ押圧されるので、装着体２１の外方に向かって開いた拡縮体３２０は閉じ（元の状態へ戻り）、ロール９の芯９１を内方から押圧し固定した状態が解かれる。
【００６６】
（８）なお、前記のように、緩み止め具４の緊締ナット４１の全部、または、各締付片４１２の全部、あるいは、各締付片４１２の雄ネジ孔側の面（締付片のネジ孔側の面に設けられたネジ溝部４１４を含む）のいずれかが、可撓性又は弾性を有する摩擦力が大きい合成樹脂で形成されたものであれば、各締付片４１２の雄ネジ孔側の面（ネジ溝部４１４）と、雄ネジ２１０のネジ溝とが圧接し又は噛み合ったときに、摩擦抵抗がより大きくなるため、更に高い回り止め効果が期待できる。
【００６７】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６８】
１    ロール保持装置
１１０    スペーサー
２    保持体
２１    装着体
２１０    雄ネジ
２１２    装着体径大部
２１４    プーリー部
２２０    軸体
２２２    ハンドル
２２４    雄ネジ
３    拡縮機構
３１０    拡縮基部
３２０    拡縮体
３２２    取着ピン
３３０    弾性リング
３４０    圧縮コイルバネ
３５０    拡縮作動体
４    緩み止め具
４１    緊締ナット
４１０    ネジ孔
４１２    締付片
４１４    ネジ溝部
４２    押圧ナット
４２２    嵌合部
９    ロール
９１    芯
【図１】
2011046477.tif 000003
【図２】
2011046477.tif 000004
【図３】
2011046477.tif 000005